(57)【要約】【課題】玉貸機から上皿に向けて延設された払出しノズルが無くても、簡易な構成で遊技者にパチンコ玉を払い出すことができる玉貸機を提供することを目的とする。【解決手段】パチンコ機１００の隣に設置されパチンコ玉Ｐを供給する玉貸機１であって、パチンコ玉Ｐを供給する玉供給ユニット６と、玉供給ユニット６に連結されパチンコ玉Ｐを搬送する玉通路３３と、玉貸機１の前側に設けられ、玉通路３３の端部に連結された玉払出部９と、を有し、玉払出部９は、玉通路３３の端部に可動部材を備え、可動部材に外力が働かないときは、玉通路３３の端部からパチンコ玉Ｐが払い出されない程度に前記可動部材が玉通路３３の端部を閉状態にし、可動部材に外力が働くときは、玉通路３３の端部からパチンコ玉Ｐが払い出される程度に前記可動部材が可動して玉通路３３の端部を開状態にすることを特徴とする。【選択図】図１
2014180516.tif 000002
【特許請求の範囲】
【請求項１】
パチンコ機の隣に設置されパチンコ玉を供給する玉貸機であって、
パチンコ玉を供給する玉供給ユニットと、
前記玉供給ユニットに連結されパチンコ玉を搬送する玉通路と、
前記玉貸機の前側に設けられ、前記玉通路の端部に連結された玉払出部と、を有し、
前記玉払出部は、
前記玉通路の端部に可動部材を備え、
前記可動部材に外力が働かないときは、前記玉通路の端部からパチンコ玉が払い出されない程度に前記可動部材が前記玉通路の端部を閉状態にし、
前記可動部材に外力が働くときは、前記玉通路の端部からパチンコ玉が払い出される程度に前記可動部材が可動して前記玉通路の端部を開状態にすることを特徴とする玉貸機。
【請求項２】
前記玉供給ユニットは、遊技者の操作に基づいて、遊技者の持ち玉の範囲内において遊技者が所望する数のパチンコ玉を供給可能であることを特徴とする請求項１に記載の玉貸機。
【請求項３】
前記遊技者が所望する数のパチンコ玉は、遊技者に払い出される所定量単位未満の余り玉であることを特徴とする請求項２に記載の玉貸機。
【請求項４】
前記玉払出部は、前記玉通路の端部に対して着脱自在になっていることを特徴とする請求項１乃至請求項３のいずれか一項に記載の玉貸機。
【請求項５】
前記玉払出部に収容されたパチンコ玉の有無を検知する検知部を備えることを特徴とする請求項１乃至請求項４のいずれか一項に記載の玉貸機。
【請求項６】
前記検知部が前記玉払出部においてパチンコ玉を検出したときに、このパチンコ玉の存在を報知する報知部を備えることを特徴とする請求項５に記載の玉貸機。
【発明の詳細な説明】
【技術分野】
【０００１】
本発明は、パチンコ機の隣に設置される玉貸機に関する。
【背景技術】
【０００２】
パチンコ機の隣に設置される玉貸機は、例えば、特許文献１に記載されている。この玉貸機は、遊技者にパチンコ玉を貸し出す機器であって、計数機ユニットと、カードユニットと、制御基板と、玉切りユニットと、ビルバリユニット等とで構成されている。計数機ユニットは、遊技者が獲得したパチンコ玉をパチンコ機ごとに計数可能ないわゆる各台計数機の一部を構成するユニットである。また、当該玉貸機には、前記玉切りユニットの一部に連結され、パチンコ機の上皿まで延設された払出しノズルが形成されている。
【０００３】
遊技者が、パチンコ機に設けられた玉貸しボタンを押下すると、パチンコ機から所定量単位（例えば、２５玉）のパチンコ玉がパチンコ機の上皿に払い出される。
【０００４】
ここで、遊技者の持ち玉を払い出すときに、所定量単位未満の数のパチンコ玉（以下、このパチンコ玉を「余り玉」と言う場合がある）を遊技者に払い出さなければならない場合が生じる。例えば、各台計数機を備えたＣＲ（Card Reader）機で遊技をしていた遊技者が持ち玉をすべてカードに記録するのではなく、すべて消費しようとする場合である。この場合、パチンコ機の仕様上、所定量単位未満のパチンコ玉を上皿に払い出すことができないため、玉貸機から払出しノズルを介して上皿に余り玉を払い出していた。
【先行技術文献】
【特許文献】
【０００５】
【特許文献１】特開２０１０−２３３８７１号公報
【発明の概要】
【発明が解決しようとする課題】
【０００６】
ところが、払出しノズルが設けられていると、例えば、上皿から下皿へパチンコ玉を手掴みで移動させる際に払出しノズルが邪魔になるという問題がある。また、払出しノズルは、遊技者側に張り出す構造であるため、パチンコ機の装飾と干渉する場合がある。このような場合は、パチンコ機に応じて払出しノズルの位置を変更しなければならない。
【０００７】
そこで、本発明では、玉貸機から上皿に向けて延設された払出しノズルが無くても、簡易な構成で遊技者にパチンコ玉を払い出すことができる玉貸機を提供することを目的とする。
【課題を解決するための手段】
【０００８】
前記課題を解決するために、本発明は、パチンコ機の隣に設置されパチンコ玉を供給する玉貸機であって、パチンコ玉を供給する玉供給ユニットと、前記玉供給ユニットに連結されパチンコ玉を搬送する玉通路と、前記玉貸機の前側に設けられ、前記玉通路の端部に連結された玉払出部と、を有し、前記玉払出部は、前記玉通路の端部に可動部材を備え、前記可動部材に外力が働かないときは、前記玉通路の端部からパチンコ玉が払い出されない程度に前記可動部材が前記玉通路の端部を閉状態にし、前記可動部材に外力が働くときは、前記玉通路の端部からパチンコ玉が払い出される程度に前記可動部材が可動して前記玉通路の端部を開状態にすることを特徴とする。
その他の手段については後記する。
【発明の効果】
【０００９】
本発明によれば、玉貸機から上皿に向けて延設された払出しノズルが無くても、簡易な構成で遊技者にパチンコ玉を払い出すことができる。
【図面の簡単な説明】
【００１０】
【図１】本実施形態に係る玉貸機の全体構成を示す斜視図である。
【図２】本実施形態に係る玉貸機の概略側面図である。
【図３】本実施形態に係る玉払出部の拡大斜視図である。
【図４】本実施形態に係る玉貸機の下部における拡大正面図である。
【図５】本発明の玉払出部を外して受け皿ユニットを取り付ける場合を示す斜視図である。
【図６】本発明の変形例に係る玉払出部を示す図であって、（ａ）は側面図、（ｂ）は側断面図である。
【発明を実施するための形態】
【００１１】
＜基本構成＞
以下、本発明を実施するための形態（以下、「実施形態」と称する。）について、図面を参照（言及図以外の図面も適宜参照）しながら説明する。なお、本実施形態における「上」、「下」、「左」、「右」、「前（正面）」、「後（背面）」の各方向については、図１に示す通りとし、他図についてもそれにならうものとする。
【００１２】
図１に示すように、本実施形態に係る玉貸機１は、パチンコ機１００の隣に設置される装置である。玉貸機１は、パチンコ機１００に隣接されており、遊技者にパチンコ玉Ｐを払い出す機器である。
【００１３】
パチンコ機１００は、膳板Ｔの上に載置されており、遊技盤１０１と、上皿１０２と、下皿１０３と、玉切りユニット１０４と、を主に備えている。遊技盤１０１は、遊技領域を構成する部分である。
【００１４】
上皿１０２は、遊技盤１０１の下に設けられ、玉切りユニット１０４から供給されるパチンコ玉Ｐを貯留する部位である。上皿１０２には、所定量単位（例えば、２５玉）のパチンコ玉Ｐが貸し出される玉貸しボタン１０２ａと、返却ボタン１０２ｂとが形成されている。
【００１５】
下皿１０３は、上皿１０２の直下に設けられ、パチンコ玉Ｐを貯留する部位である。下皿１０３には、下皿１０３の下に配置される収容箱であるいわゆるドル箱（図示省略）にパチンコ玉Ｐを流下させる開閉式のシャッター１０３ａが形成されている。
【００１６】
玉切りユニット１０４は、パチンコ機１００の内部に設けられており、玉通路１０４ａを介して所定量単位のパチンコ玉Ｐを上皿１０２に供給する。玉切りユニット１０４は、パチンコ機１００に設置された制御部（図示省略）から送信させる制御信号に基づいて作動するようになっている。玉切りユニット１０４は、本実施形態では、遊技者の持ち玉が最小所定量単位以上（例えば、２５玉以上）ある場合において、遊技者による玉貸しボタン１０２ａの押下によって所定量単位のパチンコ玉を供給するようになっている。
【００１７】
玉貸機１は、パチンコ機１００に隣接し、膳板Ｔの上に載置されている。玉貸機１は、筐体２と、前カバー３と、玉計数ユニット４と、カードユニット５と、玉供給ユニット６と、制御部７と、ビルバリユニット８と、玉払出部９とで主に構成されている。
【００１８】
筐体２は、背面板１１と、側面板１２，１２とで構成されており、内部に玉計数ユニット４、カードユニット５、玉供給ユニット６、制御部７及びビルバリユニット８を収納する。
【００１９】
前カバー３は、筐体２の前側の開口を覆う部材である。前カバー３は、筐体２に収納されるユニットに応じて分割して形成されている。前カバー３は、正面板１３と、前側側面板１４，１４と、下板１５と、上板１６とで構成されている。正面板１３は、遊技者側の面を構成する板状部材である。
【００２０】
図２に示すように、玉計数ユニット４は、遊技者が獲得したパチンコ玉Ｐをパチンコ機１００ごとに計数可能な各台計数機の一部を構成する装置ある。図３に示すように、玉計数ユニット４に対応する位置に配設された前カバー３Ａ（３）は、正面板１３Ａ（１３）と、側面板１４Ａ，１４Ａ（１４，１４）とで構成されている。前カバー３Ａは、断面コの字状を呈し一体形成されている。玉計数ユニット４は、計数玉通路２１と、通過センサ２２と、計数センサ２３と、排出口２４と、で構成されている。
【００２１】
計数玉通路２１は、計数するパチンコ玉Ｐを前側から後側に向けて流下させる通路である。図４に示すように、計数玉通路２１は、本実施形態では左右方向に二列の通路が形成されている。正面板１３のうち、計数玉通路２１の前端に対応する位置には開口１３ａが形成されている。なお、本実施形態では、開口１３ａは、玉払出部９で閉塞される。
【００２２】
図２に示すように、通過センサ２２は、パチンコ玉Ｐの通過の有無を検知するセンサである。計数センサ２３は、パチンコ玉Ｐの個数をカウントするセンサである。これらの検知結果は、制御部７に送信されるようになっている。排出口２４は、計数玉通路２１の後端（下流側の端部）に取り付けられている。排出口２４は、玉貸機１の外部にパチンコ玉Ｐを導く部材である。
【００２３】
カードユニット５は、遊技者の持ち玉数等のデータが記憶されたカードを読み取る装置である。カードユニット５は、正面板１３に露出するカード挿入口５ａを備えている。カードユニット５で読み取ったデータは、制御部７に送信されるようになっている。
【００２４】
玉供給ユニット６は、カウント部３１と、供給側通路３２と、排出側通路３３と、払出ボタン３４とで構成されている。カウント部３１は、制御部７からの制御信号に基づいて、遊技者が保有している持ち玉のうち所定量単位未満のパチンコ玉（例えば、２４玉以下）Ｐ若しくは、遊技者が保有している持ち玉のうち遊技者が所望する数のパチンコ玉Ｐを流下させる装置である。
【００２５】
供給側通路３２は、カウント部３１にパチンコ玉Ｐを流下させる通路である。供給側通路３２は、筐体２の内部で蛇行して配設されている。排出側通路（玉通路）３３は、カウント部３１から正面板１３の開口１３ｂまで延設され、パチンコ玉Ｐを流下させる通路である。排出側通路３３は、カードユニット５や他の装置との干渉を避けるように前カバー３内の空きスペースを利用して上下方向に沿って延設されつつ、後ろ側で一旦折り返されて開口１３ｂに臨んでいる。
【００２６】
払出ボタン３４は、正面板１３に形成されている。払出ボタン３４は制御部７と電気的に接続されている。所定の条件下で払出ボタン３４を押下することで、所定量のパチンコ玉が玉払出部９に流下するようになっている。
【００２７】
制御部７は、玉貸機１及びパチンコ機１００の動作を制御する装置である。制御部７は、演算手段、記憶手段、表示手段４１、操作手段４２、第一払出し手段及び第二払出し手段を備えて構成されている。制御部７は、パチンコ機１００の制御部（図示省略）とも電気的に接続されている。
【００２８】
表示手段４１及び操作手段４２は、正面板１３に形成されており、タッチパネル式のモニターで構成されている。表示手段４１には、遊技者の持ち玉数や遊技状態、さらには、前記した第二払出し手段としての「玉貸機ボタン」、「数字ボタン」、「払出し所望数」等が表示されるようになっている。数字ボタンは、「０」〜「９」までの各数字が表示されるようになっている。「払出し所望数」には、数字ボタンで押下された数字が表示されるようになっている。操作手段４２は、モニターとは別に、正面板１３に数字ボタン及び決定ボタン等を設けてもよい。
【００２９】
前記した第一払出し手段は、遊技者の操作に基づいて、全ての余り玉を払い出す手段である。第一払出し手段は、遊技者の持ち玉が最小所定量単位未満（例えば、２４玉以下）であり、かつ、払出ボタン３４の押下がされたときに実行される。第一払出し手段が実行されると、制御部７は、余り玉に相当する数のパチンコ玉を玉払出部９に供給するよう玉供給ユニット６に信号を送信する。
【００３０】
前記した第二払出し手段は、遊技者の操作に基づいて、遊技者の所望の数のパチンコ玉を払い出す手段である。第二払出し手段は、遊技者の持ち玉が最小所定量単位以上（例えば、２５玉以上）であり、かつ、「玉貸機ボタン」が押下されるとともに、払出ボタン３４が押下されたときに実行する。第二払出し手段が実行されると、制御部７は、「払出し所望数」に表示された数のパチンコ玉を玉払出部９に供給するよう玉供給ユニット６に信号を送信する。
【００３１】
第一払出し手段を備えることにより、遊技者は、遊技者の最小所定量単位未満の持ち玉であるいわゆる余り玉を、玉払出部９から受け取ることができる。また、第二払出し手段を備えることにより、例えば、遊技者がタバコ、ジュース又はお菓子等の安価な景品を所望する場合に、必要な量のパチンコ玉を玉払出部９から受け取って、簡易かつ迅速に交換することができる。
【００３２】
ビルバリユニット８は、貨幣を識別する部位である。ビルバリユニット８は、貨幣投入口４３を備えている。ビルバリユニット８は、硬貨に対応するものであってもよいが、本実施形態では、紙幣のみを識別する。ビルバリユニット８で識別された識別データは、制御部７に送信されるようになっている。
【００３３】
図２及び図３に示すように、玉払出部９は、正面板１３の開口１３ｂに臨んでおり、余り玉が払い出される部位である。玉払出部９は、計数玉通路２１に固定配設された第一部材５１と、第一部材５１に可動配設された第二部材（可動部材）５２と、検知部と、報知部とで主に構成されている。
【００３４】
第一部材５１は、ベース板５３と、突出通路５４と、係合部５５，５５と、ピン５６，５６とで構成されている。ベース板５３は、板状部材であって、開口１３ｂと連通する開口５３ａが形成されている。開口５３ａは、パチンコ玉Ｐが通る大きさになっている。また、ベース板５３は、図４に示す計数玉通路２１及び排出側通路３３を覆う大きさで形成されている。
【００３５】
突出通路５４は、開口５３ａに連通しており、パチンコ玉Ｐが通過する部位である。突出通路５４は、ベース板５３において遊技者側に張り出している。突出通路５４は、ベース板５３に対して垂直でもよいし、下方に向けて若干傾斜させてもよい。
【００３６】
係合部５５，５５は、第一部材５１の上側及び下側にそれぞれ設けられている。係合部５５には係合爪が形成されており、前カバー３（３Ａ）の内部に形成された被係合部（図示省略）と係合するようになっている。係合部５５，５５を被係合部に挿入することで、正面板１３に玉払出部９を取り付けることができる。一方、例えば、工具を用いて係合部５５，５５を押圧するなどして正面板１３から玉払出部９を取り外すことができる。
【００３７】
図３に示すように、ピン５６，５６（図面では片方のみ描画）は、突出通路５４の側面に突出している。ピン５６は、第二部材５２を回動可能に保持する部位である。
【００３８】
第二部材５２は、蓋板６１と、側板６２，６２とで構成されている。第二部材５２の下端は、パチンコ玉Ｐが落下するように開放されている。蓋板６１は、突出通路５４の先端を塞ぐように設けられている。図２に示すように、蓋板６１は、突出通路５４の先端から離間して配置されている。突出通路５４の先端と蓋板６１と隙間Ｓの寸法は、パチンコ玉Ｐの直径よりも小さくなっている。
【００３９】
側板６２は、蓋板６１の左右両側において、蓋板６１に対して垂直に形成されている。側板６２の上部には、ピン５６が挿通されるピン孔６２ａが形成されている。これにより、第二部材５２は、ピン５６を回動中心として、斜め前に向けて回動可能になっている。第二部材５２の可動範囲は、突出通路５４の先端と蓋板６１との隙間Ｓの寸法が少なくともパチンコ玉Ｐの直径よりも大きくなるように構成されている。
【００４０】
また、第二部材５２の内部には、第二部材５２を正面板１３側に常時付勢する付勢部材（図示省略）が形成されている。付勢部材は、本実施形態では、コイルばねを用いている。外力によって第二部材５２を斜め前に向けて回動させた後、第二部材５２に作用する外力を除外すると、付勢部材によって第二部材５２が上下方向と平行になる状態に復元するようになっている。
【００４１】
検知部（図示省略）は、玉払出部９の一部に設けられており、パチンコ玉Ｐが玉払出部９にあることを検知するものである。報知部（図示省略）は、検知部と電気的に接続されており、検知部がパチンコ玉Ｐを検知したことを視覚的又は聴覚的に報知するものである。
【００４２】
報知部において視覚的に報知する場合は、例えば、玉払出部９にＬＥＤ（Light Emitting Diode）を設置してもよい。この場合、ＬＥＤの光り方を、玉貸機１の状態によって変えてもよい。例えば、玉払出部９にパチンコ玉があるときは「白色点灯」にしたり、
制御部７でパチンコ玉を払い出す制御信号を送信したにも関わらず、所定の時間内にパチンコ玉が払い出されない場合はエラーであるとして「赤色点滅」にしたりしてもよい。また、ＬＥＤを上下方向に複数個設けて、玉払出部９にパチンコ玉があるときは上から下に光が流れるように点滅をさせてもよい。
【００４３】
＜作用＞
遊技者が払出ボタン３４又は玉貸しボタン１０２ａを押下することにより、パチンコ機１００の玉切りユニット１０４は、所定量単位（例えば、２５玉）のパチンコ玉Ｐを上皿１０２に供給する。これにより、遊技者は遊技を行うことができる。遊技者の持ち玉は、表示手段４１に表示される。
【００４４】
一方、遊技者の持ち玉が最小所定量単位未満（例えば、２４玉以下）であり、かつ、払出ボタン３４の押下がされたとき、制御部７は第一払出し手段を実行する。第一払出し手段によって、いわゆる余り玉が玉払出部９に払い出される。
【００４５】
他方、遊技者の持ち玉が最小所定量単位以上（例えば、２５玉以上）であり、かつ、「玉貸機ボタン」及び払出ボタン３４の押下がされたとき、制御部７は第二払出し手段を実行する。遊技者は、「玉貸機ボタン」を押下した後、「数字ボタン」を押下して所望のパチンコ玉の数を表示手段４１の「払出し所望数」に表示させることができる。第二払出し手段によって、遊技者の所望のパチンコ玉が玉払出部９に払い出される。
【００４６】
パチンコ玉が玉払出部９に到達すると、玉払出部９の検知部がパチンコ玉を検知し、報知部によって報知される。
【００４７】
遊技者は、玉払出部９の第二部材５２の下端に手の平をあてがいつつ、下方から斜め前上方に第二部材５２を回動させることにより、パチンコ玉Ｐが突出通路５４を流下するのでパチンコ玉Ｐを受け取ることができる（開状態）。遊技者が第二部材５２から手を離すと、付勢部材によって第二部材５２が元の位置に復元して、蓋板６１で突出通路５４の先端が塞がれる（閉状態）。
【００４８】
以上説明した本実施形態に係る玉貸機１によれば、遊技者は玉払出部９を操作することにより、ノズルがなくてもパチンコ玉を受け取ることができる。また、玉払出部９は簡易な構成であるため、遊技者の操作負担を軽減できるとともに、製造コストを低減することができる。
【００４９】
また、消費税が変動した場合、その税率によっては余り玉が生じやすくなる場合があるが、このような場合にも本実施形態の第一払出し手段であれば容易に余り玉を受け取ることができる。さらに、本実施形態では、制御部７に第二払出し手段を備えているため、遊技者は、遊技者の持ち玉の範囲内において所望する数のパチンコ玉を容易に受け取ることができる。
【００５０】
また、玉払出部９は、係合部５５，５５及び被係合部を備えることで、正面板１３に対して着脱可能になっている。これにより、玉払出部９のメンテナンスを容易に行うことができる。また、本実施形態では、玉払出部９のベース板５３によって計数玉通路２１が塞がれている。これにより、各台計数機を利用しない場合は、計数玉通路２１を塞いで計数玉通路２１にゴミ等が入るのを防ぐことができる。
【００５１】
また、玉払出部９に検知部及び報知部が設けられているため、遊技者は玉払出部９にパチンコ玉Ｐがあることを把握することができる。これにより、パチンコ玉Ｐの取り忘れを防ぐことができる。
【００５２】
また、排出側通路（玉通路）３３を、前カバー３内のスペースを通るように構成したため、例えば、カードユニット５等の他の装置との干渉を回避できる。
【００５３】
また、本実施形態では各台計数機を用いない場合を例示したが、本実施形態に係る玉貸機１によれば、図５に示すように、玉払出部９に代えて受け皿ユニット１１０を接続することにより、各台計数機にも対応することが可能である。受け皿ユニット１１０は、遊技によって獲得したパチンコ玉Ｐを計数玉通路１１２を介して玉計数ユニット４側に流下させることにより、遊技者が席を離れることなくパチンコ玉Ｐを計数することができる。
【００５４】
当該受け皿ユニット１１０は、受け皿１１１の脇に、遊技者によって開閉可能な玉返却部１２２を備えている。遊技者は玉返却部１２２を操作することにより、排出側通路３３及び玉返却通路１２１から流下して玉返却部１２２に到達したパチンコ玉Ｐを受け取ることができる。受け皿ユニット１１０は、正面板１３の開口１３ａ，１３ｂを覆うように端部１１３を係合させることにより取り付けることができる。このように、本実施形態に係る玉貸機１によれば、玉払出部９が着脱可能になっているため、各台計数機に対応する場合と対応しない場合とに容易に変更することができる。
【００５５】
＜変形例＞
図６は、本発明の変形例に係る玉払出部を示す図であって、（ａ）は側面図、（ｂ）は側断面図である。図６に示すように、変形例に係る玉払出部９Ａは、計数玉通路２１に固定配設された第一部材７１と、第一部材７１に可動配設された第二部材７２と、検知部と、報知部とで構成されている。検知部と報知部の構成は前記した実施形態と同等であるため、説明を省略する。
【００５６】
第一部材７１は、ベース板７３と、開口７３ａと、支持板７４，７４と、係合部７５，７５とで構成されている。ベース板７３は、板状部材であって、計数玉通路２１及び排出側通路３３を覆う大きさで形成されている。ベース板７３には、開口１３ｂと連通する開口７３ａが形成されている。
【００５７】
支持板７４は、第二部材７２を可動可能に支持する部材である。支持板７４は、ベース板７３の左右方向に離間して一対形成されている（図では一つのみ描画）。支持板７４は、板状部材であって、面外方向が左右方向を向くようにして、ベース板７３に垂直に立設している。支持板７４の中央には、上下方向に長手となる長孔７４ａが形成されている。
【００５８】
係合部７５，７５は、第一部材７１の上側及び下側にそれぞれ設けられている。係合部７５には係合爪が形成されており、前カバー３の内部に形成された被係合部（図示省略）と係合するようになっている。これにより、係合部７５，７５を被係合部に挿入することで、玉払出部９Ａを取り付けることができる。一方、例えば、工具を用いて係合部７５，７５を押圧するなどして玉払出部９Ａを取り外すことができる。
【００５９】
第二部材７２は、箱状の筐体である。第二部材７２の下端は、パチンコ玉Ｐが落下するように開放されている。第二部材７２の背板８１の下部には、開口８１ａが形成されている。開口８１ａの開口寸法は、パチンコ玉Ｐの直径よりも大きくなっている。背板８１に対して垂直に形成された側板８２，８２にはそれぞれ外側に突出するピン８２ａが形成されている。ピン８２ａは、長孔７４ａ内を移動可能になっている。蓋板８３は、側板８２，８２に対して垂直になっている。
【００６０】
＜作用＞
遊技者は、第二部材７２の下端に手の平をあてがいつつ、第二部材７２を下方から押し上げることにより、ベース板７３の開口７３ａと背板８１の開口８１ａとが連通し、第一部材７１と第二部材７２との隙間Ｓがパチンコ玉Ｐの直径よりも広くなることにより、パチンコ玉Ｐが流下してパチンコ玉Ｐを受け取ることができる。
【００６１】
一方、遊技者が第二部材７２から手を離すと、第二部材７２の自重によって第二部材７２が下降し、パチンコ玉Ｐが通過しないように隙間Ｓを背板８１で塞ぐようになっている。
【００６２】
以上本発明について説明したが、本発明の趣旨に反しない範囲において、適宜設計変更が可能である。例えば、本実施形態では、玉払出部９を玉貸機１の最下部に設けたが、正面板１３内であれば、どこに設けてもよい。また、本実施形態では、排出側通路（玉通路）３３を前カバー３内のスペースを通るように構成したが、筐体２内を通してもよい。
【００６３】
また、本実施形態では玉払出部９及び玉払出部９Ａを例示したが、玉払出部は、外力が働くことで第一部材に対して第二部材が可動することにより、パチンコ玉Ｐが通過できる程度の広さまで開口が開き、パチンコ玉Ｐが払い出される形態であれば他の形態であってもよい。
【００６４】
また、本実施形態に係る玉貸機１は、計数玉通路２１を備えた玉計数ユニット４を有する構成としたが、玉計数ユニット４の無い形態であってもよい。また、本実施形態に係る制御部７の払出手段は、適宜設計変更が可能である。例えば、本実施形態では、遊技者の持ち玉がいわゆる余り玉となった場合に払出ボタン３４が押下されると、全ての余り玉が払い出されるように構成しているが、余り玉の中において所望のパチンコ玉を「数字ボタン」で設定して所望の数のパチンコ玉が払い出されるようにしてもよい。
【００６５】
また、図３に示すように、本実施形態では、玉計数ユニット４に対応する前カバー３Ａ（３）と第一部材５１，７１とを別体としているが、一体としてもよい。これにより、玉貸機の組み付け工数を減らすことができる。
【符号の説明】
【００６６】
１      玉貸機
２      筐体
３      前カバー
４      玉計数ユニット
５      カードユニット
６      玉供給ユニット
７      制御部
８      ビルバリユニット
９      玉払出部
９Ａ    玉払出部
１３    正面板
２１    計数玉通路
３１    カウント部
３２    供給側通路
３３    排出側通路（玉通路）
３４    払出ボタン
４１    表示手段
４２    操作手段
５１    第一部材
５２    第二部材（可動部材）
５３    ベース板
５３ａ  開口
７１    第一部材
７２    第二部材
７３    ベース板
７３ａ  開口
Ｓ      隙間
【図１】
2014180516.tif 000003
【図２】
2014180516.tif 000004
【図３】
2014180516.tif 000005
【図４】
2014180516.tif 000006
【図５】
2014180516.tif 000007
【図６】
2014180516.tif 000008
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
パチンコ機の隣に設置されパチンコ玉を供給する玉貸機であって、
パチンコ玉を供給する玉供給ユニットと、
前記玉貸機の前側に設けられ、遊技者にパチンコ玉を払い出す玉払出部と、
遊技者の持ち玉数のうち、前記パチンコ機仕様の所定量単位未満の余り玉に相当する数のパチンコ玉を払い出す払出手段を備えた制御部と、を有し、
前記玉供給ユニットは、
前記制御部からの制御信号に基づいて作動するカウント部と、
前記玉貸機の外部と前記カウント部とを連結するとともにパチンコ玉を前記カウント部に流下させる供給側通路と、
前記カウント部と前記玉払出部とを連結するとともにパチンコ玉を前記玉払出部に流下させる排出側通路と、を有し、
前記玉払出部は、
前記排出側通路の端部に可動部材を備え、
前記可動部材に外力が働かないときは、前記排出側通路の端部からパチンコ玉が払い出されない程度に前記可動部材が前記排出側通路の端部を閉状態にし、
前記可動部材に外力が働くときは、前記排出側通路の端部からパチンコ玉が払い出される程度に前記可動部材が可動して前記排出側通路の端部を開状態にすることを特徴とする玉貸機。
【請求項２】
前記可動部材は、回動可能に保持されていることを特徴とする請求項１に記載の玉貸機。
【請求項３】
前記玉払出部に収容されたパチンコ玉の有無を検知する検知部を備えることを特徴とする請求項１又は請求項２に記載の玉貸機。
【請求項４】
前記検知部が前記玉払出部においてパチンコ玉を検出したときに、このパチンコ玉の存在を報知する報知部を備えることを特徴とする請求項３に記載の玉貸機。
【手続補正２】
【補正対象書類名】明細書
【補正対象項目名】０００８
【補正方法】変更
【補正の内容】
【０００８】
前記課題を解決するために、本発明は、パチンコ機の隣に設置されパチンコ玉を供給する玉貸機であって、パチンコ玉を供給する玉供給ユニットと、前記玉貸機の前側に設けられ、遊技者にパチンコ玉を払い出す玉払出部と、遊技者の持ち玉数のうち、前記パチンコ機仕様の所定量単位未満の余り玉に相当する数のパチンコ玉を払い出す払出手段を備えた制御部と、を有し、前記玉供給ユニットは、前記制御部からの制御信号に基づいて作動するカウント部と、前記玉貸機の外部と前記カウント部とを連結するとともにパチンコ玉を前記カウント部に流下させる供給側通路と、前記カウント部と前記玉払出部とを連結するとともにパチンコ玉を前記玉払出部に流下させる排出側通路と、を有し、前記玉払出部は、前記排出側通路の端部に可動部材を備え、前記可動部材に外力が働かないときは、前記排出側通路の端部からパチンコ玉が払い出されない程度に前記可動部材が前記排出側通路の端部を閉状態にし、前記可動部材に外力が働くときは、前記排出側通路の端部からパチンコ玉が払い出される程度に前記可動部材が可動して前記排出側通路の端部を開状態にすることを特徴とする。
その他の手段については後記する。